(57)【要約】【課題】操作モードの切り替えを、煩雑さを伴わずに行うことができるリモコン装置を提供する。【解決手段】複数の操作対象毎に対応する複数の操作モードを備えるリモコン装置１であって、装置本体の向き及び傾きを検出する検出部５と、検出部５の検出結果に基づいて、操作モードを、複数の上記操作モードのうち特定の一つに切り替える制御部６とを備えるという構成を採用する。【選択図】図１
2010028742.tif 000002
【特許請求の範囲】
【請求項１】
複数の操作対象毎に対応する複数の操作モードを備えるリモコン装置であって、
装置本体の向き及び傾きを検出する検出部と、
前記検出部の検出結果に基づいて、操作モードを、複数の前記操作モードのうち特定の一つに切り替える切替部とを備えることを特徴とするリモコン装置。
【請求項２】
前記検出部は、水平面に対する前記装置本体の傾きの角度を検出する傾き検出部を有し、
前記切替部は、前記傾き検出部の検出結果に基づいて前記切り替えを行うことを特徴とする請求項１に記載のリモコン装置。
【請求項３】
前記傾き検出部は、２軸加速度センサを有することを特徴とする請求項２に記載のリモコン装置。
【請求項４】
前記検出部は、水平面に沿った前記装置本体の向きの角度を検出する向き検出部を有し、
前記切替部は、前記向き検出部の検出結果に基づいて前記切り替えを行うことを特徴とする請求項１〜３のいずれか一項に記載のリモコン装置。
【請求項５】
前記向き検出部は、ジャイロセンサを有することを特徴とする請求項４に記載のリモコン装置。
【請求項６】
前記操作対象を操作する操作信号を伝送すると共に、前記装置本体に前記操作信号を所定の方向に向けて伝送するように取り付けられる伝送部を有しており、
前記切り替えは、前記伝送部の向きの先に配置されている前記操作対象に対応する前記操作モードに切り替えるように設定されることを特徴とする請求項１〜５のいずれか一項に記載のリモコン装置。
【請求項７】
前記操作対象に対応する前記操作モードを設定するときに前記検出部が検出した前記装置本体の向き及び傾きを記憶させて生成した切替テーブルを有し、
前記切替部は、前記切替テーブルと前記検出部の検出結果とを照合して前記切り替えを行うことを特徴とする請求項１〜６のいずれか一項に記載のリモコン装置。
【発明の詳細な説明】
【技術分野】
【０００１】
本発明は、リモコン装置に関するものである。
【背景技術】
【０００２】
家庭内においてテレビ、オーディオ、エアコン、照明装置等の家電製品（操作対象）を遠隔操作するものとしてリモコン装置を用いることは従来からなされており、家庭内においては複数のリモコン装置を有しているのが一般的である。これは、一つ操作対象に対して一つのリモコン装置が対応して操作を行うような構成となっているためであり、したがって、複数のリモコン装置を取り扱うに際して煩雑になるという問題がある。
【０００３】
このような問題を解決するために非特許文献１には、複数の操作対象に対応した操作モードを備えて、装置本体に設けられた各操作モードに対応したボタンを操作して、その操作モードを切り替えることで、一つのリモコン装置で複数の操作対象を操作可能とするものが開示されている。
【非特許文献１】株式会社スギヤマエレクトロン、“学習機能付マルチリモコン「クロッサム２＋ＵＳＢ」”、取扱説明書、［online］、株式会社スギヤマエレクトロン、［平成２０年６月２３日検索］、インターネット＜URL: http://www.sugi-ele.co.jp/top.htm＞
【発明の開示】
【発明が解決しようとする課題】
【０００４】
しかしながら、上記リモコン装置では、手動でのボタン等の操作による操作モードの切り替えが必要であり、その取り扱いが煩雑であるという問題がある。
【０００５】
本発明は、上記問題点に鑑みてなされたものであり、操作モードの切り替えを、煩雑さを伴わずに行うことができるリモコン装置を提供することを目的とする。
【課題を解決するための手段】
【０００６】
上記の課題を解決するために、本発明は、複数の操作対象毎に対応する複数の操作モードを備えるリモコン装置であって、装置本体の向き及び傾きを検出する検出部と、上記検出部の検出結果に基づいて、操作モードを、複数の上記操作モードのうち特定の一つに切り替える切替部とを備えるという構成を採用する。
このような構成を採用することによって、本発明では、装置本体の向き及び傾きに応じて、切替部が操作モードを特定の一つに切り替える。このことから、装置本体の向き及び傾きを変化すると、自動的に操作モードが切り替わることとなる。
【０００７】
また、本発明では、上記検出部は、水平面に対する上記装置本体の傾きの角度を検出する傾き検出部を有し、上記切替部は、上記傾き検出部の検出結果に基づいて上記切り替えを行うという構成を採用する。
このような構成を採用することによって、本発明では、水平面に対する装置本体の傾きに応じて、操作モードを切り替えることが可能となる。
【０００８】
また、本発明では、上記傾き検出部は、２軸加速度センサを有するという構成を採用する。
このような構成を採用することによって、本発明では、２軸加速度センサの検出結果に基づいて装置本体の傾きの角度を検出することが可能となる。
【０００９】
また、本発明では、上記検出部は、水平面に沿った上記装置本体の向きの角度を検出する向き検出部を有し、上記切替部は、上記向き検出部の検出結果に基づいて上記切り替えを行うという構成を採用する。
このような構成を採用することによって、本発明では、水平面に沿った装置本体の向きに応じて、操作モードを切り替えることが可能となる。
【００１０】
また、本発明では、上記向き検出部は、ジャイロセンサを有するという構成を採用する。
このような構成を採用することによって、本発明では、ジャイロセンサの検出結果に基づいて装置本体の向きの角度を検出することが可能となる。
【００１１】
また、本発明では、上記操作対象を操作する操作信号を伝送すると共に、上記装置本体に上記操作信号を所定の方向に向けて伝送するように取り付けられる伝送部を有しており、上記切り替えは、上記伝送部の向きの先に配置されている上記操作対象に対応する上記操作モードに切り替えるように設定されるという構成を採用する。
このような構成を採用することによって、本発明では、操作モードが、伝送部の向きの先に設けられた操作対象に対応する操作モードに切り替わるため、操作モードの切り替えを操作対象の配置と対応させて直感的にさせることが可能となる。
【００１２】
また、本発明では、上記操作対象に対応する上記操作モードを設定するときに上記検出部が検出した上記装置本体の向き及び傾きを記憶させて生成した切替テーブルを有し、上記切替部は、上記切替テーブルと上記検出部の検出結果とを照合して上記切り替えを行うという構成を採用する。
このような構成を採用することによって、本発明では、実際に操作対象に装置本体を向けたときに検出部が検出した検出結果に基づいて切替テーブルを生成することで、上記切り替えに用いられる切替テーブルの生成の容易化を図ることができる。
【発明の効果】
【００１３】
本発明によれば、複数の操作対象毎に対応する複数の操作モードを備えるリモコン装置であって、装置本体の向き及び傾きを検出する検出部と、上記検出部の検出結果に基づいて、操作モードを、複数の上記操作モードのうち特定の一つに切り替える切替部とを備えるという構成を採用することによって、装置本体の向き及び傾きに応じて、切替部が操作モードを特定の一つに切り替える。このことから、装置本体の向き及び傾きを変化すると、手動でのボタン等の操作を伴わずに自動的に操作モードが切り替わることとなる。
したがって、本発明は、操作モードの切り替えを、煩雑さを伴わずに行うことができるリモコン装置を提供することできる効果がある。
【発明を実施するための最良の形態】
【００１４】
次に、本発明の実施形態を図面に基づいて説明する。
図１は、本発明の実施形態におけるリモコン装置１のブロック構成図である。
図２は、本発明の実施形態におけるリモコン装置１の概略構成図である。
本実施形態におけるリモコン装置１は、図１に示すように、テレビ、オーディオ、エアコン、照明装置等の家電製品の操作対象Ａ〜Ｃとの間で赤外線等を用いてリモコン信号（操作信号）を伝送し遠隔操作するものであり、操作部２と、伝送部３と、記憶部４と、検出部５と、制御部（切替部）６とを有している。
【００１５】
操作部２は、図２に示すように、表示部２１と、操作キー２２とを有する。
表示部２１は、例えば液晶ディスプレイやタッチパネル等から構成されており、ユーザとリモコン装置１とを関係付けるマンマシンインタフェースとして機能する。
操作キー２２は、物理的に備えられた複数のハードウエアキーから構成されており、ユーザの操作に基づいた電気信号を制御部６に出力する構成となっている。
【００１６】
伝送部３は、制御部６から入力される制御指令に基づいて操作対象Ａ〜Ｃのいずれかを操作するリモコン信号を生成すると共に、生成したリモコン信号を、赤外線光として所定の方向に向けて伝送するものである。この伝送部３は、図２において装置本体１Ａの先端部に設けられており、装置本体１Ａの先端部の端面に対して垂直方向に向けて赤外線光Ｌを出射する構成となっている。
【００１７】
図１に戻り、記憶部４は、ＲＯＭ（Read Only Memory）やＲＡＭ（Random Access Memory）等のメモリを有しており、操作対象Ａに対応する操作モードＡと、操作対象Ｂに対応する操作モードＢと、操作対象Ｃに対応する操作モードＣと、後述する検出部５の検出結果と操作モードとを対応付ける切替テーブルとを記憶している。操作モードは、対応する操作対象のリモコンコード情報を有しており、そのリモコンコード情報には、例えば、操作対象がテレビであれば、第１のキーには電源ＯＮ／ＯＦＦ、第２のキーには音量調整、第３のキーには番組切替等に、各キーを各機能に割り振るリモコンコード表等の情報が含まれる。また、操作モードは、例えば、操作対象がエアコンや照明装置等であれば、上記と同様に操作対象の機能に応じたそれぞれのリモコンコード情報を有する。
【００１８】
検出部５は、装置本体１Ａの向き及び傾きを検出し、検出した検出結果を制御部６に出力するものであり、傾き検出部５１と、向き検出部５２とを有する。
傾き検出部５１は、図２（ｂ）に示すように、水平面に対する装置本体１Ａの傾きの角度を検出するものであり、例えば、装置本体１Ａの中央部に設けられた２軸加速度センサを有する。２軸加速度センサは、その加速度の検出軸が装置本体１Ａの長さ方向と厚さ方向とに設定されており、各検出軸方向に出力される重力加速度のベクトルをそれぞれ検出する。そして、傾き検出部５１は、当該検出結果に基づき、装置本体１Ａの水平面に対する角度（０度〜３６０度）を算出し、その算出した検出結果を制御部６に出力する構成となっている。
向き検出部５２は、水平面に沿った装置本体１Ａの向きの角度（方位）を検出するものであり、例えば、図２（ａ）に示すように、装置本体１Ａの中央部に設けられたジャイロセンサを有する。ジャイロセンサは、装置本体１Ａの厚さ方向に延びる軸周りの角速度を検出するように配置されている。そして、向き検出部５１は、装置本体１Ａの向きの変化に応じて出力されるジャイロセンサの検出結果（角速度）に基づき、検出された角速度を積分することにより装置本体１Ａの水平面に沿った角度（０度〜３６０度）を算出し、その算出した検出結果を制御部６に出力する構成となっている。
【００１９】
制御部６は、各部の動作を統括に制御するものであり、ＣＰＵ（Central Processing Unit）等の電子部品及び、並びに操作部２、伝送部３、記憶部４、検出部５との間で電気信号の授受を行う各種入出力インターフェース回路等から構成されている。この制御部６は、検出部５の検出結果に基づいて、リモコン装置１の操作モードを、記憶部４に記憶されている操作モードＡ〜Ｃのうち特定の一つに切り替える構成となっており、その切り替えは、例えば、図３に示す切替テーブルに基づいて行われる。
【００２０】
切替テーブルは、縦軸が水平面に対する装置本体１Ａの傾き（角度）に設定され、横軸が水平面に沿った装置本体１Ａの向き（角度）に設定されるマップ状のテーブルによって設定されている。この切替テーブルは、このマップ上において、操作モードＡ、操作モードＢ、操作モードＣがそれぞれ、向き及び傾きで区画される特定の領域を有して設定されている。すなわち、制御部６は、検出部５から出力される向き及び傾きの検出結果と、記憶部４に記憶されている切替テーブルとを照合させて、例えば、当該検出結果が、照合の結果、切替テーブル上において操作モードＡの領域内に位置するような場合は、操作モードを操作モードＡに切り替え、また、例えば、照合の結果、切替テーブル上において操作モードＢの領域内に位置するような場合は、操作モードを操作モードＢに切り替えることとなる。
なお、当該検出結果が、切替テーブル上においていずれの操作モードの領域内にも位置しない場合は、制御部６は、誤操作防止の観点から操作部２による操作対象の操作を不可とする操作モードに切り替える構成であっても良い。
【００２１】
切替テーブルは、ユーザが任意に予め記憶部４に設定・生成することが可能となっており、例えば、図５に示す家庭内の所定空間において、切替テーブルにおける操作モードの領域を各操作対象物の配置に応じて設定することが可能である。制御部６による上記切り替えを、伝送部３の向きの先（赤外線光Ｌの出射先）に配置されるその操作対象に対応する操作モードに切り替えるよう設定することで、操作対象（例えば、テレビ）に装置本体１Ａを向けたとき、すなわち操作したい操作対象の方向に装置本体１Ａを向けるという、ユーザの自然な行為を行うだけで、リモコン装置１の操作モードが自動的にその操作対象に対応する操作モードに切り替えることが可能となる。
【００２２】
また、切替テーブルを生成するにあたり、実際に操作対象に装置本体１Ａを向けて、そのとき検出部５が検出した検出結果を記憶部４の切替テーブル上に記憶させて、操作モードの領域を設定し切替テーブルを生成する構成であっても良い。また、操作モードの領域は、上記生成時に検出した検出結果の位置を含むように、操作モードの領域の大きさを任意の大きさに変更させることが可能であり、例えば、操作対象の使用頻度の応じて操作モードの領域の大きさを縮小あるいは拡大させるよう調整しても良い。
【００２３】
続いて、上記構成のリモコン装置１の操作モードを切り替える一連の動作について図４を参照して説明する。
図４は、本発明の実施形態におけるリモコン装置１の動作のフローチャートである。
先ず、ユーザは、図５の如くリモコン装置１を保持し、所定の位置に配置されている操作対象Ａ〜Ｃのいずれか一つに装置本体１Ａを向ける。
ここで、検出部５は、ユーザの動作に応じて変化する装置本体１Ａの向き及び傾きの検出結果を順次制御部６に出力する（ステップＳ１）。より詳しくは、傾き検出部５１が、水平面に対する装置本体１Ａの傾きの角度を検出して制御部６に出力し、向き検出部５２が、水平面に沿った装置本体１Ａの向きの角度を検出して制御部６に出力することとなる。
【００２４】
制御部６は、検出部５により検出された検出結果と、記憶部４に記憶されている図３に示す切替テーブルとを照合させる（ステップＳ２）。
照合の結果、検出結果が、切替テーブル上の操作モードＡの領域内に位置するならば、制御部６は、リモコン装置１の操作モードを、操作対象Ａに対応する操作モードＡに切り替える（ステップＳ３）。なお、検出結果が、例えば操作モードＢの領域、あるいは操作モードＣの領域に位置するならば、制御部６は、操作モードを操作モードＢ、あるいは操作モードＣに切り替えることとなる。
【００２５】
そして、制御部６は、切り替えた操作モードが有するリモコンコード情報から、図２に示す各操作キー２２に、操作対象の各機能を割り振ると共に、表示部２１に、現在の操作モードの情報を出力させる。ここでユーザは、表示部２１により操作モードが所望の操作モードに切り替わったことを確認し、操作キー２２を押下等してリモコン装置１を操作することとなる。操作キー２２が押下等されると、操作部２は、その操作キー２２の押下の情報を電気信号として制御部６に出力する。制御部６は、押下された操作キー２２に対応するリモコンコードに基づいたリモコン信号を伝送部３に出力させる。そして、伝送部３から出力されたリモコン信号は、図５に示すが如く、操作対象（例えば、テレビ）が有する赤外線光Ｌの受光部（不図示）により受光される。そして、操作対象は、受光したリモコン信号に基づいた所定の動作を行うこととなる。
【００２６】
続いて、異なる操作対象を操作する場合は、ユーザは、保持した装置本体１Ａをその操作対象に向けて、装置本体１Ａの向き及び傾きを変化させる（ステップＳ４）。装置本体１Ａの向き及び傾きが変化した場合は、ステップＳ１に戻り、制御部６は、検出部５の検出結果に基づいた操作モードの切り替えを行い、一方、装置本体１Ａの向き及び傾きが変化しない場合は、制御部６は、現在の操作モードを維持する制御を行うこととなる。
【００２７】
したがって、上述の本実施形態によれば、複数の操作対象毎に対応する複数の操作モードを備えるリモコン装置１であって、装置本体１Ａの向き及び傾きを検出する検出部５と、検出部５の検出結果に基づいて、操作モードを、複数の上記操作モードのうち特定の一つに切り替える制御部６とを備えるという構成を採用することによって、装置本体１Ａの向き及び傾きに応じて、制御部６が操作モードを特定の一つに切り替える。このことから、装置本体１Ａの向き及び傾きを変化すると、手動でのボタン等の操作を伴わずに自動的に操作モードが切り替わることとなる。
したがって、本実施形態では、操作モードの切り替えを、煩雑さを伴わずに行うことができるリモコン装置１を提供することできる効果がある。
【００２８】
また、本実施形態では、検出部５は、水平面に対する装置本体１Ａの傾きの角度を検出する傾き検出部５１を有し、制御部６は、傾き検出部５１の検出結果に基づいて上記切り替えを行うという構成を採用することによって、水平面に対する装置本体１Ａの傾きに応じて、操作モードを切り替えることが可能となる。
【００２９】
また、本実施形態では、傾き検出部５１は、２軸加速度センサを有するという構成を採用することによって、２軸加速度センサの検出結果に基づいて装置本体１Ａの傾きの角度を検出することが可能となる。
【００３０】
また、本実施形態では、検出部５は、水平面に沿った装置本体１Ａの向きの角度を検出する向き検出部５２を有し、制御部６は、向き検出部５２の検出結果に基づいて上記切り替えを行うという構成を採用することによって、水平面に沿った装置本体１Ａの向きに応じて、操作モードを切り替えることが可能となる。
【００３１】
また、本実施形態では、向き検出部５２は、ジャイロセンサを有するという構成を採用することによって、ジャイロセンサの検出結果に基づいて装置本体１Ａの向きの角度を検出することが可能となる。
【００３２】
また、本実施形態では、上記操作対象を操作するリモコン信号を伝送すると共に、装置本体１Ａにリモコン信号を所定の方向に向けて伝送するように取り付けられる伝送部３を有しており、上記切り替えは、伝送部３の向きの先に配置されている上記操作対象に対応する上記操作モードに切り替えるように設定されるという構成を採用することによって、操作モードが、伝送部の向きの先に設けられた操作対象に対応する操作モードに切り替わるため、操作モードの切り替えを操作対象の配置と対応させて直感的にさせることが可能となる。
【００３３】
また、本実施形態では、上記操作対象に対応する上記操作モードを設定するときに検出部５が検出した装置本体１Ａの向き及び傾きを記憶させて生成した切替テーブルを有し、制御部６は、切替テーブルと上記検出部５の検出結果とを照合して上記切り替えを行うという構成を採用することによって、実際に操作対象に装置本体１Ａを向けたときに検出部５が検出した検出結果に基づいて切替テーブルを生成することで、上記切り替えに用いられる切替テーブルの生成の容易化を図ることができる。
【００３４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３５】
例えば、テレビの脇にビデオが配置される場合等、伝送部３の向きの先の所定の領域内に操作対象が複数配置されている時、制御部６は、複数のその操作対象のうちの特定の一つに対応する操作モードに、例えば、各操作対象の使用頻度を切り替えの指標にしてその使用頻度が高い操作対象の操作モードに、優先的に切り替える構成であっても良い。
【図面の簡単な説明】
【００３６】
【図１】本発明の実施の形態におけるリモコン装置のブロック構成図である。
【図２】本発明の実施の形態におけるリモコン装置の概略構成図である。
【図３】本発明の実施の形態における切替テーブルを示す図である。
【図４】本発明の実施の形態におけるリモコン装置の動作のフローチャートである。
【図５】本発明の実施の形態におけるリモコン装置の所定空間での操作を説明する図である。
【符号の説明】
【００３７】
１…リモコン装置、１Ａ…装置本体、３…伝送部、５…検出部、６…制御部（切替部）、５１…傾き検出部、５２…向き検出部
【図１】
2010028742.tif 000003
【図２】
2010028742.tif 000004
【図３】
2010028742.tif 000005
【図４】
2010028742.tif 000006
【図５】
2010028742.tif 000007